(57)【要約】【課題】  名称記入カードを表側から容易に交換できるようにしたアナンシェータを提供する。【解決手段】  表側に開口２２ａを有する開口枠部２２が形成され、この開口枠部２２の周縁部から裏方向に収容枠部２１が連設されたフレーム２が設けられ、このフレーム２の収容枠部２１には、表側から順次に、透明な表面シート３Ａと、名称記入カードの格納空間を有するスペーサ４と、シートスイッチ５と、剛性体６とが重ねて収容されている。上記表面シート３Ａには、上記開口２２ａの周縁の一部に沿った切込部３１が形成されて、この切込部３１で囲まれた部分が開口２２ａから表側に撓み可能であるとともに、上記撓み可能な部分には、上記フレーム２の開口枠部２２の裏面に係止可能な係止部３２が形成されている。【選択図】      図１
2005250759.tif 000002
【特許請求の範囲】
【請求項１】
表側に開口を有する開口枠部が形成され、この開口枠部の周縁部から裏方向に収容枠部が連設されたフレームが設けられ、このフレームの収容枠部には、表側から順次に、透明な表面シートと、名称記入カードの格納空間を有するスペーサと、シートスイッチと、剛性体とが重ねて収容されたアナンシェータであって、
上記表面シートには、上記開口の周縁の一部に沿った切込部が形成されて、この切込部で囲まれた部分が開口から表側に撓み可能であるとともに、上記撓み可能な部分には、上記フレームの開口枠部の裏面に係止可能な係止部が形成されていることを特徴とするアナンシェータ。
【請求項２】
上記表面シートの切込部及び係止部は、上記開口の一辺と、この一辺に隣り合う両辺に沿って略コ字状に切り込むことにより形成され、この切り込まれた表面シートの外周縁部が上記フレームの開口枠部の裏面に配設されていることを特徴とする請求項１に記載のアナンシェータ。
【請求項３】
上記表面シートの切込部は、上記フレームが直立状態で設置されるとき、表面シートの上部に形成されていることを特徴とする請求項１または２に記載のアナンシェータ。
【請求項４】
上記切込部は、上記表面シートの上部と下部にそれぞれ形成されていることを特徴とする請求項３に記載のアナンシェータ。
【発明の詳細な説明】
【技術分野】
【０００１】
本発明は、中央監視装置における動力負荷、照明負荷等の各種管理ポイントの状態を表示するアナンシェータに関するものである。
【背景技術】
【０００２】
ビル内には電力設備、空調設備、防災設備、照明設備等の各種の設備が設置されており、これらの設備を集中的に管理するために中央監視装置が導入されている。それら設備の状態を監視・表示し、また制御するための装置としてアナンシェータがある。
【０００３】
このアナンシェータは、監視・制御する設備単位ごとに名称記入カードを取付け、ＬＥＤにより設備の状態（稼動、休止、異常等）を表示するとともに、例えば名称記入カード上の各設備に対応する部位をタッチすることにより、稼動または休止といった状態の変更の制御を指示するものである。
【０００４】
上記名称記入カードは、管理設備が変更になったり設備名称が変更になったりした場合に交換する必要がある。
【０００５】
そこで、アナンシェータの前扉を開けて、前扉の裏側にある格納空間に名称記入カードを格納するものがある。例えば、特許文献１には、前扉の裏側に、前扉を開けた状態で奥側から（前扉を閉めた状態では表側から）順次に、タッチパネルと、支持材と、名称記入カードの格納空間を有するスペーサと、上方に傾斜したガイド片を有する裏板とを配設したアナンシェータが記載されている。
【０００６】
しかしながら、特許文献１のアナンシェータでは、前扉を開けないと名称記入カードの交換ができないものであった。
【０００７】
これに対して、表側に開口を有する開口枠部を形成し、この開口枠部の周縁部から裏方向に収容枠部を連設したフレームを設けるとともに上記タッチパネルに替えてシートスイッチを用いて、このフレームの収容枠部に、表側から順次に、透明な表面シートと、名称記入カードの格納空間を有するスペーサと、シートスイッチと、剛性体とを重ねて収容したアナンシェータを構成し、上記表面シートに名称記入カードの抜き差し用スリットを形成することが考えられる。
【特許文献１】特開平９−１４６４５８号公報
【発明の開示】
【発明が解決しようとする課題】
【０００８】
しかしながら、上記のようなスリットからの名称記入カードの抜き出し作業は非常に困難であるために、スリットから名称記入カードの一部を突出させて摘みながら抜き出したり、表面シートに明けた小孔にピンセット等の工具を差し込んで名称記入カードを動かしながら抜き出したりすることが考えられるが、前者の場合には突出した名称記入カードの一部が紫外線や粉塵等により変色して見栄えが悪くなり、後者の場合には名称記入カードの抜き出しにピンセット等の工具が必要になるので作業性が悪くなる。
【０００９】
本発明は、このような事情に鑑み、表側から名称記入カードを容易に交換できるようにしたアナンシェータを提供することを目的とする。
【課題を解決するための手段】
【００１０】
請求項１の発明は、表側に開口を有する開口枠部が形成され、この開口枠部の周縁部から裏方向に収容枠部が連設されたフレームが設けられ、このフレームの収容枠部には、表側から順次に、透明な表面シートと、名称記入カードの格納空間を有するスペーサと、シートスイッチと、剛性体とが重ねて収容されたアナンシェータであって、
上記表面シートには、上記開口の周縁の一部に沿った切込部が形成されて、この切込部で囲まれた部分が開口から表側に撓み可能であるとともに、上記撓み可能な部分には、上記フレームの開口枠部の裏面に係止可能な係止部が形成されていることを特徴とするものである。
【００１１】
請求項２の発明は、請求項１に記載のアナンシェータであって、上記表面シートの切込部及び係止部は、上記開口の一辺と、この一辺に隣り合う両辺に沿って略コ字状に切り込むことにより形成され、この切り込まれた表面シートの外周縁部が上記フレームの開口枠部の裏面に配設されていることを特徴とするものである。
【００１２】
請求項３の発明は、請求項１または２に記載のアナンシェータであって、上記表面シートの切込部は、上記フレームが直立状態で設置されるとき、表面シートの上部に形成されていることを特徴とするものである。
【００１３】
請求項４の発明は、請求項３に記載のアナンシェータであって、上記切込部は、上記表面シートの上部と下部にそれぞれ形成されていることを特徴とするものである。
【発明の効果】
【００１４】
請求項１の発明によれば、表面シートに、フレームの開口の周縁の一部に沿った切込部を形成したから、この切込部で囲まれた部分が開口から表側に大きく撓み可能になるので、表面シートの裏側に位置するスペーサの格納空間を大きく開くことができる。これにより、アナンシェータの表側から名称記入カードを容易に交換できるようになる。
【００１５】
また、切込部で囲まれた撓み可能な部分には、フレームの開口枠部の裏面に係止可能な係止部を形成しているから、切込部で囲まれた部分が自重等で表側に撓むことを未然に防止でき、見栄えが向上するようになる。
【００１６】
請求項２の発明によれば、表面シートの切込部及び係止部を、開口の一辺と、この一辺に隣り合う両辺に沿って略コ字状に切り込むことにより形成すると、表面シートを切り込むだけで切込部及び係止部を容易に形成することができる。また、切り込んだ表面シートの外周縁部をフレームの開口枠部の裏面に配設すると、この外周縁部によって、係止部の係止スペースを確保することができる。
【００１７】
請求項３の発明によれば、フレームを直立状態で設置するとき、表面シートの切込部を上部にのみ形成すれば、表面シートの切込部で囲まれた部分を外方へ撓ませたときに、スペーサの格納空間から名称記入カードが自重で抜き出るおそれがなくなるとともに、名称記入カードの交換も容易に行うことができる。
【００１８】
請求項４の発明によれば、フレームを直立状態で設置するとき、表面シートの切込部を上部と下部にそれぞれ形成すれば、表面シートの上部の切込部で囲まれた部分と下部の切込部で囲まれた部分とをそれぞれ表側に撓ませられるから、表面シートの上部の切込部で囲まれた部分を撓ませて名称記入カードを交換できるともに、格納空間に入り込んだゴミ等は、表面シートの下部の切込部で囲まれた部分を撓ませることで、格納空間から簡単に排出できるようになる。
【発明を実施するための最良の形態】
【００１９】
本発明を実施するための最良の形態を図面に基づいて説明する。
【００２０】
図１〜図３は、アナンシェータ１であり、このアナンシェータ１は、横長長方形枠状のフレーム２を備え、このフレーム２には、表側に横長長方形状の開口２２ａを有する開口枠部２２が形成され、この開口枠部２２の周縁部から裏方向に収容枠部２１が連設されている。
【００２１】
上記フレーム２の収容枠部２１には、表側から順次に、透明な表面シート３Ａと、スペーサ４と、シートスイッチ５と、剛性体６と、プリント基板７とが重ねて収容されている。
【００２２】
上記プリント基板７には、設備の状態（稼動、休止、異常等）を表示するＬＥＤ等が搭載されている。
【００２３】
上記剛性体６は、シートスイッチ５に対する表面側からの操作押圧力を受けるためのものであり、例えば金属板等により構成されている。
【００２４】
上記シートスイッチ５は、設備の稼動または休止といった状態の変更を操作するもので、本例では、縦横に３列づつ、計９個のスイッチ部５ａが設けられている。なお、スイッチ部５ａの個数はこれに限られない。
【００２５】
上記スペーサ４は、縦長短冊状の名称記入カード８を上部から差し込んで格納するために、上記シートスイッチ５の縦列のスイッチ部５ａに対応して、上部が開放した横列３個の櫛歯状格納空間４１を有している。
【００２６】
上記各格納空間４１に開放部分から差し込んで格納する各名称記入カード８には、縦列３個のスイッチ部５ａに対応したスイッチ名等が記載されている。上記スペーサ４の格納空間４１は、櫛歯状ではなく、図４に示すように、板状体のものに上記格納空間４１となる矩形状の切欠が形成されたものであってもかまわない。
【００２７】
第１実施形態の上記表面シート３Ａは、復元力を有する透明な樹脂製（例えばＰＥＴ）であって、この表面シート３Ａの裏面には、上記各名称記入カード８のスイッチ名等の部分を透明にし、上記プリント基板７のＬＥＤ等の部分を光拡散処理して四角形状で残した状態で（図２（ａ）のＦ参照）、その余の部分を印刷等で不透明にして内部を目隠ししている。なお、透明な部分は、適宜設定可能であるとともに、その透明度も表面シート３Ａの表側から名称記入カード８に記載されたスイッチ名等が読める範囲で適宜設定可能である。
【００２８】
上記シートスイッチ５、スペーサ４及び表面シート３Ａは、それぞれの重合面の必要箇所を接着剤等により接着して、全体として１ｍｍ程度の厚さに構成されている。
【００２９】
上記表面シート３Ａの上部には、上記フレーム２の開口２２ａの上側縁（開口２２ａの一辺）２２ｃの全長に沿って横向きに延在するとともに、この上側縁２２ｃの左右両端から左右両側縁（上記一辺に隣り合う両辺）２２ｂに沿って下向きに延在する略コ字状の切込部３１が形成され、この切込部３１は、上側縁２２ｃから側縁２２ｂの全長の略１／３の長さで形成されている。この長さは、それ以上でも以下でも良い。
【００３０】
そして、図３（ａ）（ｂ）に示すように、この表面シート３Ａの切込部３１で囲まれた部分がフレーム２の開口２２ａから外方へ撓み可能となっている。また、この切り込まれた表面シート３Ａの外周縁部３５は、フレーム２の開口枠部２２の裏面に配設されることになる。
【００３１】
上記表面シート３Ａの切込部３１で囲まれた撓み可能な部分における開口２２ａの上側縁２２ｃに沿った左右両端には、表面シート３Ａの切込部３１で囲まれた部分が撓んだ状態から復元したときに、上記フレーム２の開口枠部２２の裏側に係止可能な上方に突出する略三角形状の係止部３２が設けられている。なお、係止部３２は、左右両端のみに限るものではなく、適宜の位置に設ければ良い。
【００３２】
第１実施形態の表面シート３Ａであれば、表面シート３Ａに、フレーム２の開口２２ａの上側縁２２ｃと両側縁２２ｂの三方に沿った切込部３１を形成したから、上側縁２２ｃ側の切込部３１に指爪等を引っ掛けて表面シート３Ａの切込部３１で囲まれた部分を表側に無理引きすれば、表面シート３Ａの切込部３１で囲まれた部分が開口２２ａから表側に撓んで、係止部３２が開口枠部２２の裏側から自然に外れるから、図３（ａ）（ｂ）のように、この表面シート３Ａの切込部３１で囲まれた部分を表側に大きく撓ませることにより、表面シート３Ａの裏側に位置するスペーサの格納空間４１を大きく開くことができる。
【００３３】
または、表面シート３Ａの切込部３１で囲まれた部分を、指腹の摩擦力によって係止部３２が開口枠部２２から外れるまで外側に撓ませながら引き下げるとともに、この切込部３１で囲まれた部分をつまんで表側に引き出すことにより、表面シート３Ａの裏側に位置するスペーサの格納空間４１を大きく開くことができる。
【００３４】
これにより、矢印ａのように、アナンシェータ１の表側から名称記入カード８を容易に差し込んだり、抜き出したりして交換できるようになる。
【００３５】
そして、名称記入カード８を交換した後は、表面シート３Ａの切込部３１で囲まれた部分を再び表側に撓ませながら、係止部３２を開口枠部２２の裏面に差し込むことにより、係止部３２が開口枠部２２の裏面に係止されるようになる。これにより、表面シート３Ａの切込部３１で囲まれた部分が自重等で表側に撓むことを未然に防止でき、見栄えが向上するようになる。
【００３６】
また、表面シート３Ａの切込部３１で囲まれた部分を撓ませるだけで、同時に複数枚の名称記入カード８を交換することができるので、交換作業時間が短縮できるようになる。
【００３７】
さらに、フレーム２を直立状態で設置して、表面シート３Ａの切込部３１を上部にのみ形成しているので、表面シート３Ａの切込部３１で囲まれた部分を外方へ撓ませたときに、スペーサ４の格納空間４１から名称記入カード８が自重で抜き出るおそれがなくなるとともに、名称記入カード８の交換も容易に行うことができる。
【００３８】
また、表面シート３Ａの切込部３１及び係止部３２を、開口２２ａの上側縁（開口２２ａの一辺）２２ｃと、左右両側縁（上記一辺に隣り合う両辺）２２ｂに沿って略コ字状に切り込むことにより形成しているので、表面シート３Ａを切り込むだけで切込部３１及び係止部３２を容易に形成することができる。
【００３９】
さらに、切り込んだ表面シート３Ａの外周縁部３５をフレーム２の開口枠部２２の裏面に配設したので、この外周縁部３５によって、係止部３２の係止スペースを確保することができる。
【００４０】
なお、係止部３２は、上記表面シート３Ａの切込部３１で囲まれた撓み可能な部分における開口２２ａの左右両側縁２２ｂに沿った上端に側方に突出する形状で設けても良く、少なくとも切込部３１で囲まれた部分の両コーナー部に設けることにより、自重等によって撓みやすいコーナー部を確実に係止させて、切込部３１で囲まれた部分が自然に撓むのを防止することができる。
【００４１】
図５は、第２実施形態の表面シート３Ｂであり、この表面シート３Ｂの上部には、第１実施形態の表面シート３Ａと同様の切込部３１が形成されるとともに、それに加えて、フレーム２の開口２２ａの下側縁２２ｄの全長に沿って横向きに延在するとともに、この下側縁２２ｄの左右両端から左右両側縁２２ｂに沿って上向きに延在する略コ字状の切込部３１が形成されている。つまり、上記切込部３１は、表面シート３Ｂの上部と下部にそれぞれ形成されている。この場合、上部の左右両側縁２２ｂに沿った切込部３１と、下部の左右両側縁２２ｂに沿った切込部３１との間には、切込部３１の無い部分を残しておく。
【００４２】
第２実施形態の表面シート３Ｂであれば、表面シート３Ｂの上部の切込部３１で囲まれた部分と表面シート３Ｂの下部の切込部３１で囲まれた部分とをそれぞれ表側に撓ませられるから、表面シート３Ｂの上部の切込部３１で囲まれた部分を撓ませて名称記入カード８を交換できるともに、格納空間４１に入り込んだゴミ等は、表面シート３Ｂの下部の切込部３１で囲まれた部分を撓ませることで、格納空間４１から簡単に排出できるようになる。
【００４３】
図６は、第３実施形態の表面シート３Ｃであり、この表面シート３Ｃは、第１実施形態の表面シート３Ａから、二点鎖線で示した外周縁部３５を切り取ったものである。このように、表面シート３Ａの外周縁部の一部を切り取った表面シート３Ｃを用いることも可能であるが、切込部３１で囲まれた部分の左右方向の寸法が上記開口枠部２２の開口２２ａの幅寸法よりも小さい場合には上記切込部３１と開口２２ａとの間に隙間ができてしまうため、切込部３１の外周縁部のうち左右両側部分は切り取らずに残しておくほうが好ましい。
【００４４】
図７および図８は、第４実施形態の表面シート３Ｄであり、この表面シート３Ｄの上部の左右位置に、表面シート３Ｄの上端部から左右両側縁２２ｂに沿って下向きに延在する切込部３１を形成したものである。
【００４５】
この表面シート３Ｄでは、上端部がフレーム２の開口枠部２２の裏面に係止される係止部３２となっている。
【００４６】
なお、本発明のアナンシェータは、上記第１〜第４実施形態で示した形態に限定されるものではなく、その趣旨を逸脱しない範囲で種々の変更が可能である。
【００４７】
例えば、スペーサ４を、シートスイッチ５の横列のスイッチ部５ａに対応して、縦列に格納空間４１を有する形状に形成するとともに、名称記入カード８に横列のスイッチ部５ａに対応したスイッチ名等を記入して、名称記入カード８を左部または右部から差し込むようにすることも可能である。
【００４８】
この場合には、表面シートの左部または右部に上記切込部３１を形成することにより、左部の切込部３１で囲まれた部分または右部の切込部３１で囲まれた部分を上記フレーム２の開口２２ａから表側に撓ませて、表面シートの裏側に位置する上記縦列の格納空間４１を大きく露出させて名称記入カード８を容易に交換することができる。
【図面の簡単な説明】
【００４９】
【図１】第１実施形態の表面シートを有するアナンシェータの分解斜視図である。
【図２】（ａ）は上記アナンシェータの組立て斜視図、（ｂ）は（ａ）におけるＩ−Ｉ側面断面図である。
【図３】上記アナンシェータの表面シートの一部を撓ませた状態を示す図であり、（ａ）は斜視図、（ｂ）は（ａ）におけるＩＩ−ＩＩ側面断面図である。
【図４】変形例のスペーサの正面図である。
【図５】第２実施形態の表面シートの正面図である。
【図６】第３実施形態の表面シートの正面図である。
【図７】第４実施形態の表面シートの正面図である。
【図８】第４実施形態の表面シートを有するアナンシェータの斜視図である。
【符号の説明】
【００５０】
１，１０  アナンシェータ
２  フレーム
２１  収容枠部
２２  開口枠部
２２ａ  開口
３Ａ，３Ｂ，３Ｃ，３Ｄ  表面シート
３１  切込部
３２  係止部
３５  外周縁部
４  スペーサ
４１  格納空間
５  シートスイッチ
６  剛性体
７  プリント基板
８  名称記入カード
【図１】
2005250759.tif 000003
【図２】
2005250759.tif 000004
【図３】
2005250759.tif 000005
【図４】
2005250759.tif 000006
【図５】
2005250759.tif 000007
【図６】
2005250759.tif 000008
【図７】
2005250759.tif 000009
【図８】
2005250759.tif 000010